(57)【特許請求の範囲】
【請求項１】
門扉及び門柱の何れか一方に装着されるラッチ部と、他方に装着され、水平なバーを備えたストライクとからなり、上記ラッチ部には、ストライクのバーに係合する鈎状部を夫々先端に形成し、尾端部を中心として回動可能に支承された一対のカマを設け、これら一対のカマの先端を相互に対向させて上記鈎状部の外縁がＶ字を形成するようにすると共に、一対のカマを案内ピンと長溝の係合により鈎状部が連動して開閉するように連結し、かつ一対のカマを閉じる方向に付勢した門扉の掛金装置において、一対のカマの夫々の尾端部に形成され、門扉の開閉方向である前後方向に長い案内孔の夫々を、ラッチ部の錠箱の門扉に平行な側板内面に植設した一対のカマ軸の夫々に摺動可能に係合させ、以て一対のカマが全体として前後方向に移動できるようにし、一方、錠箱の内側に、一対のカマの尾端部と一部重合するようにして板状のスライドベースを前後方向に移動可能に案内し、このスライドベースに形成された一対の係合孔とカマに植設された連結ピンとの係合を介してカマとスライドベースとを一体的に連結し、一方、錠箱を門扉の厚さ方向に貫通する操作軸の錠箱内における部分に、スライドベースと係合してこれを前後方向に駆動する制御手段を装着したことを特徴とする門扉の掛金装置における引寄せ装置。
【発明の詳細な説明】
【０００１】
【発明の属する技術分野】
この発明は、伸縮させて開け閉めを行うアコーデオン扉等の門扉に取付けられる掛金装置における引寄せ装置（以下単に引寄せ装置という）に関する。
【０００２】
【従来の技術】
本出願人は、先に、実願平２−３５４０号（登録新案第２１２６８２２号）を以て、新規な門扉の掛金装置におけるロック装置を提案した。
【０００３】
上記の掛金装置は、例えば図１に示すように、門扉１及び門柱２の何れか一方（図示のものは門扉１）に取付けられるラッチ部３と、他方に取付けられ、水平なバー４を備えたストライク５（図２参照）からなり、ラッチ部３から突出し、外縁がＶ字形をなす一対のカマ６、７を選択的に拡開させてストライクのバー４に掛け外しできるようにしたものである。
【０００４】
【発明が解決しようとする課題】
上記本出願人による先の提案は、施錠時、カマ６、７が拡開しないようにロックする装置に関するものであって、それ自体は所期の機能を発揮し、従来実用されている。
【０００５】
しかしながら、上記した掛金装置の構造上、カマ６、７が円滑に作動するためには、門扉の可動門柱８（図１参照）と固定側の門柱２とが隙間なく接合した状態において、カマ６、７の先端が余裕をもってストライクのバー４の裏側（図２で右側）に回り込む必要がある。
【０００６】
すると、掛金装置の常態において、門柱２と可動門柱８との間に必然的に隙間が生じることになり、見栄えが悪いばかりでなく、例えば風が吹くと門扉ガタつく、という不都合がある。
【０００７】
そこで、この発明は、掛金装置のロック時可動門扉を固定門扉に引寄せて隙間を無くす引寄せ装置を提供し、以て上記した不都合を解消することを目的としている。
【０００８】
【課題を解決するための手段】
上記の目的を達成するため、この発明は、門扉及び門柱の何れか一方に装着されるラッチ部と、他方に装着され、水平なバーを備えたストライクとからなり、上記ラッチ部には、ストライクのバーに係合する鈎状部を夫々先端に形成し、尾端部を中心として回動可能に支承された一対のカマを設け、これら一対のカマの先端を相互に対向させて上記鈎状部の外縁がＶ字を形成するようにすると共に、一対のカマを案内ピンと長溝の係合により鈎状部が連動して開閉するように連結し、かつ一対のカマを閉じる方向に付勢した門扉の掛金装置において、一対のカマの夫々の尾端部に形成され、門扉の開閉方向である前後方向に長い案内孔の夫々を、ラッチ部の錠箱の門扉に平行な側板内面に植設した一対のカマ軸の夫々に摺動可能に係合させ、以て一対のカマが全体として前後方向に移動できるようにし、一方、錠箱の内側に、一対のカマの尾端部と一部重合するようにして板状のスライドベースを前後方向に移動可能に案内し、このスライドベースに形成された一対の係合孔とカマに植設された連結ピンとの係合を介してカマとスライドベースとを一体的に連結し、一方、錠箱を門扉の厚さ方向に貫通する操作軸の錠箱内における部分に、スライドベースと係合してこれを前後方向に駆動する制御手段を装着したことを特徴とする。
【０００９】
【実施例】
以下、この発明の一実施例を図３乃至図  を参照して説明する。
図３において符号９は可動門柱８内に装着されたラッチ部３の錠箱を示し、この錠箱９には第１及び第２の一対のカマ６、７が設けられている。
【００１０】
第１カマ６は、図４及び図５に示すように、先端（図で左端）の同形の鈎状部１１を重合して結合ピン１２、１２によりかしめつけて固定した２枚の板材からなり、その尾端部（図で右端部）に前後方向（左右方向）に長い第１案内孔１３が形成されている。
【００１１】
また、第１カマ６の中央部は第２カマ７方向に延伸して（図３参照）おり、この延伸部分には前後方向に垂直な（図４で上下方向の）長溝１４が形成されている。
【００１２】
更にまた、上記長溝１４と第１案内孔１３との中間における第１カマの裏面側には、案内ピン１６が突設されている。
【００１３】
一方、上記第２カマ７は、図６及び図７に示すように、概ね第１カマ６と上下対称に成形された板部材で、２枚の同形の部分を重合し、結合ピン１２、１２によってかしめつけることにより第１カマ６とは上下対称な鈎状部１１を形成してある。
【００１４】
また、第２カマ７の尾端部には第１カマのそれと同形の前後方向に長い第１案内孔１３が開口している。
【００１５】
更にまた、第２カマ７の中央部は第１カマ６方向に延伸しており（図３参照）、この延伸部分の先端には前記長溝１４（図４参照）に摺動可能に係合できる案内ピン１６が植設されている。
【００１６】
また、第１案内孔１３の近傍における第２カマ７の裏面側には、第１カマ６におけると同様に、連結ピン１５が突設されている。
【００１７】
図３に戻って、前記錠箱９の門扉１（図１参照）に平行な側板１７には、上下方向に沿って一対のカマ軸１８、８が植設されており、下方のカマ軸１８には第１カマ６の第１案内孔１３が、上方のカマ軸１８には第２カマ７の第１案内孔１３が夫々摺動可能に係合している。
【００１８】
また、第２カマの案内ピン１６（図６参照）が第１カマ６の長溝１４（図４参照）に裏面側から摺動可能に係合している。
【００１９】
上記した構成により、第１及び第２カマ６、７は、案内ピン１６と長溝１４との係合を介して連結された状態で、錠箱９に前後方向に遊動可能に装着されている。
【００２０】
上記各カマ軸１８には捩りコイルばねとしてのカマばね１９が巻装されており、各カマばね１９の一端は錠箱９の背面に、他端は対応するカマの段部に夫々掛け止められている。
【００２１】
そして、カマばね１９の弾力により、第１カマ６は対応するカマ軸１８を中心にして図３で時計方向に、第２カマ７は反時計方向に、換言すれば一対のカマ６、７の鈎錠部１１、１が閉じる方向に付勢されている。
【００２２】
一方、図３に示すように、錠箱の前記側板６、７との間にスライドベース２１が挿設されており、このスライドベース２１は、錠箱の側板１７から切り起こされた一対の横長の案内突条２０、２０の間に挟持され、前後方向に移動可能に案内されている。
【００２３】
このスライドベース２１は、図８及び図９に示すように、全体の形状が縦長の矩形の厚板で、中央に矩形のカム穴２２が開口しており、このカム穴２２の上下には、カマ６（７）の前記第１案内孔１３と同形の一対の第２案内孔２３、２３が所定の間隔を保って開口している。
【００２４】
なお、上記所定の間隔とは、図３に示すように、カマ６、７が閉じたときの第１案内孔１３、１３の間隔と同じである。
【００２５】
また、スライドベースの上記第２案内孔２３の前方（図８で左方）には、縦長の係合孔２４が開口している。
【００２６】
この係合孔２４は、前記カマ６（７）の連結ピン１５（図４乃至図７参照）に対応するもので、連結ピン１５と摺動可能に係合できる幅を有し、また、カマ６、７が拡開するときの連結ピン１５の上下方向の移動を許容する縦長の形状である。
【００２７】
なお、図８及び図９においてスライドベースの前端縁に形成された突条は、実施例の設計の都合上係合孔２４を前端縁に近づけてしまい、この部分の肉が薄くなってしまったので補強のために設けたものであり、この発明の必須の構成ではない。
【００２８】
また、スライドベースの後端縁下方に形成された矩形の切欠は、スライドベース２１が後方に移動したとき、後述するストッパー２５（図３参照）との干渉を避けるためのもので、これもこの発明の必須の構成ではない。
【００２９】
上記した構成のスライドベース２１は、係合孔２４に対応するカマの連結ピン１５を係合させた状態で、第２案内孔２３、２３をカマ軸１８、１８に係合させて、カマ６、７と錠箱の側板１７との間に前後方向に移動可能に挿設、案内されている。
【００３０】
他方、図３に示すように、錠箱９内に装着されたスライドベースのカム穴２２を、錠箱を門扉の厚さ方向に貫通する異形（図示の実施例では方形）断面の操作軸２６が遊嵌している。
【００３１】
そして、この操作軸２６の錠箱９内における部分に、スライドベース２１と係合してこれを前後方向に駆動する制御手段２７が装着されている。
【００３２】
なお、上記操作軸２６の可動門柱８外に突出した部分には、図示しないノブやハンドル等の外部操作部材が装着され、これらの外部操作部材を手で回すことにより、後述する引寄せを行う。
【００３３】
上記制御手段２７は、図示の実施例では、図１０及び図１１に示すように、断面形状が操作軸の中心と偏芯している円筒の一部をなし、操作軸２６と嵌合する角穴を形成した制御カムとなっており、この制御カム２７は、スライドベース２１のカム穴２２に、その前後方向において隙間なく嵌合して、所謂確動カムとなっている。
【００３４】
なお、図示の実施例では、錠箱９内における操作軸２６に、制御カム２７の他に解錠カム２８とクリック盤２９とが操作軸の長さ方向に沿って連設されている。
【００３５】
上記解錠カム２８は、操作軸２６の半径方向に延伸した細長いアーム状で、図３に示すように、第１カマ６の中央延伸部分に後方から係合可能に臨んでいる。
【００３６】
また、クリック盤２９は、図１２に示すように、大小の小判形のフランジを連設した盤状体で、錠箱の内面に突設されたクリックばね軸３１（図３参照）に巻装された捩りコイルばねとしてのクリックばねの一端が、クリック盤の小さい方の小判形のフランジの直線部分に弾接することにより、制御カム２７の作動にクリック感を与えるもので、この発明の必須の構成ではない。
【００３７】
なお、図３において符号３３は施錠カムを示し、この施錠カム３３は可動門柱８の外面側に装着された図示しないシリンダ錠の内筒に連結されていて、第２カマ７の上端縁に係合可能に臨んでいる。
【００３８】
上記のように構成されたこの発明の一実施例による引寄せ装置は、作動時、すなわち門扉の閉扉時、可動門柱８が図３で左方に移動すると、第１及び第２カマ６、７のＶ字を形成する先端部分が先ずストライクのバー４に当接する。
【００３９】
それでも構わずに更に可動門柱８を左方に移動させると、図１３に示すように、バー４とＶ字を形成するカマの外縁との間に生じる楔作用により、カマ６、７が自動的に拡開し、ついには、図１４に示すように、カマの先端がバー４を乗り越えてラッチ部３が仮施錠状態となる。
【００４０】
このときには、図１４に示すように、ストライク５と可動門柱８との間に数ｍｍのチリ（隙間）δが生じることは前記した通りである。
【００４１】
この状態から操作軸２６を反時計方向に１８０度回すと、図１５に示すように、制御カム２７がスライドベース２１を後方に押動する結果、スライドベース２１と連結ピンを介して連結された第１及び第２カマ６、７も後方に押動され、相対的に可動門柱８がストライク５に接してチリδがゼロとなる。
【００４２】
なお、図１５はシリンダ錠を施錠して施錠カム３３を第２カマ７と衝接する角度位置に迄回動させた状態を示し、この本施錠状態では、カマ６、７は拡開できないので、バー４とラッチ部３との係合が解けることはない。
【００４３】
また、図示の実施例における引寄せ装置は、図１５に示すようにシリンダ錠を施錠しなくても、引寄せ状態で第１カマ６の尾端部がストッパー２５と係合する結果、第１カマ６及びこれと連動する第２カマ７は拡開することができない。
【００４４】
この引寄せ装置を解除するには、操作軸２６を時計方向に回動させると、制御カム２７がスライドベース２１を前方に押動し、引寄せ状態を解除する。
【００４５】
そして、制御カム２７を図３に示す角度位置に戻した後更に操作軸２６を時計方向に回動させると、図１６に示すように、解錠カム２８が第１カマ６の中央延伸部分を前方に押動するので、第１カマ及びこれと連動する第２カマ７が拡開してバー４から自由になる。
【００４６】
なお、この発明は図示の実施例に限定されることなく種々に変形して実施することができる。
【００４７】
例えば、制御手段２７を確動カムではなく、操作軸２６に装着された図示しないピニオンと、スライドベースに形成された図示しないラックとで構成することができる。
【００４８】
【発明の効果】
以上の説明から明らかなように、この発明は、相互に連動して拡開する第１及び第２カマを錠箱内において前後方向に移動可能に案内し、これも前後方向に移動可能に案内されたスライドベースと第１及び第２カマとを相互に連結して、スライドベースを外部から回動操作可能な操作軸に装着された制御手段により後方に移動させるようにしたから、カマとストライクのバーとの係合後ラッチ部をストライクに引寄せる、という所期の機能を発揮することができる。
【図面の簡単な説明】
【図１】この発明による引寄せ装置を適用したアコーデオン扉の概要を示す線図的側面図。
【図２】ストライクの外観斜視図。
【図３】この発明の一実施例による引寄せ装置を備えたラッチ部の一部断面側面図。
【図４】第１カマの平面図。
【図５】第１カマの側面図。
【図６】第２カマの平面図。
【図７】第２カマの側面図。
【図８】スライドベースの平面図。
【図９】スライドベースの側面図。
【図１０】制御手段を装着したスライドベースの平面図。
【図１１】制御手段を装着したスライドベースの一部断面側面図。
【図１２】クリック盤の平面図。
【図１３】図３と同様にラッチ部の一部断面側面図で、ラッチ部の作動開始状態を示す。
【図１４】図３と同様にラッチ部の一部断面側面図で、ラッチ部の仮施錠状態を示す。
【図１５】図３と同様にラッチ部の一部断面側面図で、ラッチ部の本施錠状態を示す。
【図１６】図３と同様にラッチ部の一部断面側面図で、ラッチ部の解錠状態を示す。
【符号の説明】
１  門扉
２  門柱
３  ラッチ部
４  バー
５  ストライク
６  第１カマ
７  第２カマ
８  可動門柱
９  錠箱
１１  鈎状部
１３  第１案内孔
１４  長溝
１５  連結ピン
１６  案内ピン
１７  側板
１８  カマ軸
２１  スライドベース
２２  カム穴
２３  第２案内孔
２４  係合孔
２６  操作軸
２７  制御手段
【図１】
0004202611.tif 000002
【図２】
0004202611.tif 000003
【図３】
0004202611.tif 000004
【図４】
0004202611.tif 000005
【図５】
0004202611.tif 000006
【図６】
0004202611.tif 000007
【図７】
0004202611.tif 000008
【図８】
0004202611.tif 000009
【図９】
0004202611.tif 000010
【図１０】
0004202611.tif 000011
【図１１】
0004202611.tif 000012
【図１２】
0004202611.tif 000013
【図１３】
0004202611.tif 000014
【図１４】
0004202611.tif 000015
【図１５】
0004202611.tif 000016
【図１６】
0004202611.tif 000017